(57)【要約】【課題】  印字開始時のインク昇温時間を短縮する。【解決手段】  ヒートデータとグループ指定信号をシリアルで転送するシリアルデータ線にラッチ条件を設け、ラッチ時にグループ指定信号のみをラッチ可能とすることにより短パルス加熱を短時間で行う。【選択図】  図１
2009113243.tif 000002
【特許請求の範囲】
【請求項１】
液滴を吐出させて記録を行なう記録素子を複数備えた記録ヘッドと、
前記記録素子をグループに分類し、該グループを順次駆動するヒートパスル信号を生成するヒートパルス信号生成手段と、
前記ヒートパルス信号に対応するグループを指定するグループ指定信号を生成するグループ指定信号生成手段と、
前記ヒートパルス信号に対応するヒートデータを生成するヒートデータ生成手段と、
前記グループ指定信号とヒートデータを１本のシリアルデータ線にシリアル多重し、このシリアルデータ線上の有効な信号に同期して出力されるクロック線とこれらの有効な信号をラッチするためのラッチ信号線の３つの信号線によりヒートデータを記録ヘッドに転送するヒートデータ転送手段とで構成されたインクジェット記録装置において、
ラッチ信号線のラッチパルスに同期したタイミングにおけるシリアルデータ線上の状態に従って、シリアルデータ線にて転送したヒートデータとグループ指定信号のうち、両方をラッチするか、グループ指定信号のみをラッチするかのラッチ条件を選択可能とすることを特徴とするインクジェット記録装置。
【請求項２】
請求項1において、前記ラッチ条件の内、グループ信号のみをラッチする場合には、シリアルデータ線にてグループ指定信号のみを転送することを特徴とするインクジェット記録装置。
【発明の詳細な説明】
【技術分野】
【０００１】
本発明は長尺インクジェット記録ヘッドを用いたインクジェット記録装置とインクジェット記録装置の記録方法に関するものである。
【背景技術】
【０００２】
デジタル方式の複写機，プリンタの実用化が急速に進んでおり、特に、デジタル方式のカラープリンタ，カラー複写機は、色調整，画像加工等が容易というデジタルの特徴が生かされるため、カラープリンタ，カラー複写機の分野では主流となりつつある。
【０００３】
これら記録装置の記録方式としては、電子写真方式，インクジェット方式，熱転写方式等、種々の方式があるが、装置価格と記録品質とランニングコストの３つの要素に対してインクジェット方式が一番適しているため、家庭用プリンタなどの安価な装置から広く普及し、現在はオフィスの分野の装置にも普及してきた。
【０００４】
更に近年では長尺インクジェット記録ヘッドを用いることにより、記録の高速化が可能となった。
【０００５】
実際に使用する場合には待機状態から記録が行われることが多い。待機状態ではインクの温度は周囲温度と同等であるため、記録時の温度よりも低い。そこで記録開始時はインクを記録に適した温度に加熱した後に記録を行っている。
【０００６】
この加熱の方法として、記録用のヒータを用いる方法と専用のヒーターを用いる方法が有るが、コストや加熱効率などの点で記録用のヒータに吐出に至らない短パルス信号を印加する前者の方法にてインクの加熱（以降、短パルス加熱と呼ぶ）が行われている。
【０００７】
図5にインクジェット記録装置のヒート制御に関する回路のブロック図を示す。
【０００８】
図5において、１はノズルをｎ個のグループに分割し、グループ毎にデータの転送およびヒートを行う構成のインクジェット記録ヘッド、２は記録または短パルス加熱を行うヒートデータ（ＨＤＡＴＡ）を生成するヒートデータ生成回路、３はヒートを行うグループを指定するグループ指定信号（ＧＳＥＬ）を生成するグループ指定信号生成回路、４は記録または短パルス過熱を行うためのヒートパルス信号（ＨＥ）を生成するヒートパルス信号生成回路、５はヒートデータ（ＨＤＡＴＡ）とグループ指定信号（ＧＳＥＬ）をシリアルに多重し、転送クロック信号（ＴｘＣＬＫ）と転送データ信号（ＴｘＤＡＴＡ）と転送データラッチ信号（ＴｘＬＴ）の３つの信号線にて、印字または短パルス加熱データをグループ毎にシリアル転送を行うシリアル転送回路、６はシリアル転送されたヒートデータ信号とグループ指定信号をパラレルに変換するシフトレジスタ、７はパラレルの変換されたシフトレジスタ6の出力から転送データラッチ信号（ＴｘＬＴ）のタイミングにてヒートデータ信号をラッチするヒートデータラッチ、８はパラレルの変換されたシフトレジスタ6の出力から転送データラッチ信号（ＴｘＬＴ）のタイミングにてグループ指定信号をラッチするグループ番号ラッチ、９は前記グループ番号ラッチ８にてラッチされたグループ指定信号をグループ毎の信号線に展開するデコーダ、１０はヒートパルス信号（ＨＥ）とラッチされたヒートデータとデコードされたグループ指定信号の３つの条件でノズル毎のヒートのＯＮ／ＯＦＦを決める3入力のＡＮＤゲート、１１はノズル内のヒータである。
【０００９】
図６は図５のブロック図におけるシリアル転送部の信号（ＴｘＣＬＫ，ＴｘＤＡＴＡ，ＴｘＬＴ，ＨＥ）のタイミングチャートである。図6では最大グループ数６４、グループ内の最大ノズル数１６の場合のタイミングチャートである。まず、16個のヒートデータを転送し、引き続き6bitのグループ指定信号をＴｘＤＡＴＡ線にてＴｘＣＬＫと共にシリアル転送する。このときシフトレジスタ6ではＴｘＤＡＴＡをＴｘＣＬＫの立ち上がりと立下りにてシフトする。このとき図５のシフトレジスタ６では、ＭＳＢから16bitがヒートデータラッチ７に、残りＬＳＢまでの6bitがグループ指定信号ラッチ８にラッチされるように左方向にシフトする。  ＭＳＢからＬＳＢまでシフトが終了したら転送データラッチ信号（ＴｘＬＴ）にてシフトレジスタ6にてシフトされたヒートデータとグループ指定信号をそれぞれヒートデータラッチ７とグループ指定信号ラッチ８に同時にラッチする。
【００１０】
ラッチした後に、ヒートパルス信号（ＨＥ）にてラッチした各信号の条件に従ってヒートが行われる。
【００１１】
上記の例として、下記特許文献１をあげることが出来る。
【特許文献１】特開平10-016228号公報
【発明の開示】
【発明が解決しようとする課題】
【００１２】
短パルス加熱時を短時間で行うには全ノズルを用いて加熱すれば良い。よって、短パルス加熱時のヒートデータは全て“1”となる。よって、各グループともヒートデータは同じである。
【００１３】
しかしながら印字時も短パルス加熱時も図6に示すタイミングを共に用いているためヒートする毎にヒートデータを転送する必要がある。よって、短パルス加熱時のデータ転送時間Ｔは印字時と同じ時間必要であった。
【課題を解決するための手段】
【００１４】
本発明によれば、
液滴を吐出させて記録を行なう記録素子を複数備えた記録ヘッドと、
前記記録素子をグループに分類し、該グループを順次駆動するヒートパスル信号を生成するヒートパルス信号生成手段と、
前記ヒートパルス信号に対応するグループを指定するグループ指定信号を生成するグループ指定信号生成手段と、
前記ヒートパルス信号に対応するヒートデータを生成するヒートデータ生成手段と、
前記グループ指定信号とヒートデータを１本のシリアルデータ線にシリアル多重し、このシリアルデータ線上の有効な信号に同期して出力されるクロック線とこれらの有効な信号をラッチするためのラッチ信号線の３つの信号線によりヒートデータを記録ヘッドに転送するヒートデータ転送手段とで構成されたインクジェット記録装置において、
ラッチ信号線のラッチパルスに同期したタイミングにおけるシリアルデータ線上の状態に従って、シリアルデータ線にて転送したヒートデータとグループ指定信号のうち、両方をラッチするか、グループ指定信号のみをラッチするかのラッチ条件を選択可能とすることが特徴である。
【００１５】
図1は図6の従来のタイミングチャートに本発明を適用した場合のタイミングチャートである。このように転送データラッチ信号（ＴｘＬＴ）のタイミングに合わせて転送データ信号線（ＴｘＤＡＴＡ）にラッチ条件を付加することにより、信号線を追加したりラッチ条件のためのタイミングの追加を行うこと無く本実施例を行える。
【発明の効果】
【００１６】
短パルス加熱時のヒートデータ転送時間の短縮によりインクの加熱時間が短縮できるため印字開始までの待ち時間が短縮できる。
【発明を実施するための最良の形態】
【００１７】
次に、本発明の詳細を実施例の記述に従って説明する。
【実施例１】
【００１８】
図5の従来のブロック図に、ラッチ条件として“０”のときはヒートデータ信号とグループ指定信号共にラッチし、“1”のときはグループ指定信号のみラッチする場合の本実施例を適用したブロック図を図2に、ラッチ条件が“0”の時のタイミングチャートを図3に、ラッチ条件が“１”の時のタイミングチャートを図4に示す。
【００１９】
図2のブロック図において、図5の従来の実施例と異なるのはヒートデータラッチ7に入力されるラッチ信号の条件として、従来の転送データラッチ信号（ＴｘＬＴ）と転送データ信号（ＴｘＤＡＴＡ）の2入力ＯＲゲート12を追加した事のみである。
【００２０】
この2入力ＯＲゲート12により図3のタイミングチャートの様にラッチ条件が“０”つまりヒートデータとグループ指定信号共にラッチする場合にはヒートデータラッチ７のラッチ入力（ＬＴ１）にもラッチ信号が入力され従来と同様のシーケンスによってヒートデータがラッチされる。しかし図4のタイミングチャートの様にラッチ条件が“１”つまりグループ指定信号のみラッチする場合にはヒートデータラッチ７のラッチ入力（ＬＴ１）には常に“1”が入力されるためラッチは行われない。そのため図２のシフトレジスタ６からヒートデータラッチ７に対して無意味なデータ、例えば１つ前のヒートのために転送したグループ指定信号であってもラッチされない。また、このシフトレジスタ６はＬＳＢからＭＳＢにシフトするシフトレジスタであるため、このシフトレジスタ６からグループ指定信号ラッチ８に出力される信号は、シフトされる最後の6bit（ＬＳＢから6bit）である必要がある。逆にいえばグループ指定信号のみ転送したい場合にはグループ指定信号のみ転送すれば良い。よって、図１のように従来と同じくヒートデータとグループ指定信号を転送しても良いが、図４のタイミングチャートの様にヒートデータを省略しグループ指定信号のみを転送してもグループ指定信号のみ正しくラッチすることが出来る。
【００２１】
以上のように、シフトレジスタの構成は変えずに、ヒートデータラッチ７のラッチ入力（ＬＴ１）の条件に転送データラッチ信号（ＴｘＬＴ）のラッチ条件を追加することのみによりグループ指定信号のみ転送を行うことが可能となり、データ転送時間を短くすることが出来る。
【００２２】
このようにして短パルス加熱の時間短縮が行える。
【図面の簡単な説明】
【００２３】
【図１】本発明のタイミングチャート。
【図２】実施例のブロック図。
【図３】ラッチ条件“０”の場合の実施例のタイミングチャート。
【図４】ラッチ条件“１”の場合の実施例のタイミングチャート。
【図５】従来のブロック図。
【図６】従来のタイミングチャート。
【符号の説明】
【００２４】
１  インクジェット記録ヘッド
２  ヒートデータ生成回路
３  グループ指定信号生成回路
４  ヒートパルス信号生成回路
５  シリアル転送回路
６  シフトレジスタ
７  ヒートデータラッチ
８  グループ番号ラッチ
９  デコーダ
10  3入力ＡＮＤ
11  ヒータ
12  2入力ＯＲゲート
【図１】
2009113243.tif 000003
【図２】
2009113243.tif 000004
【図３】
2009113243.tif 000005
【図４】
2009113243.tif 000006
【図５】
2009113243.tif 000007
【図６】
2009113243.tif 000008